(57)【特許請求の範囲】
【請求項１】
それぞれの第二の局によって送信される複数のメッセージからそれぞれのメッセージを識別するための方法であって、
第二の局の各々からコードシーケンスを使用した拡散スペクトル信号を送信し、
第一の局において前記信号を受信し、
前記コードシーケンスを使用して前記メッセージを解析する方法において、
第二の局の各々から、前記コードシーケンスが割り当てられた、該コードシーケンスのグループを識別するグループコードを当該コードシーケンスを使用した拡散スペクトル信号とともに送信し、
前記受信したグループコードから前記コードシーケンスが割り当てられた前記グループを認識し、
前記認識されたグループの各々について、該グループに割り当てられたコードシーケンスを使用して前記拡散スペクトル信号を解析すること、
により特徴付けられる方法。
【請求項２】
前記グループコード及び前記コードシーケンスを使用したメッセージが、搬送波の直交変調によって同時に送信されること、
を特徴とする請求項１に記載のメッセージを識別するための方法。
【請求項３】
第一の局が、応答のための信号を送信することを望む第二の局に当該送信を促すために、前記複数の第二の局にインビテーション信号を送信することを特徴とする請求項１又は２に記載の方法であって、
前記インビテーション信号は、前記グループコードの決定のしかたを前記第二の局に通知する識別子を含む方法。
【請求項４】
第一の局は、要求されるグループ数を推定すること、を特徴とする請求項３に記載の方法。
【請求項５】
第一の局は、メッセージを送信することを望む第二の局に、該第二の局の識別子の最重要ビットの複数に相当するコードをグループコードとして送信するよう指示することによって、要求されるグループ数を適合させること、
を特徴とする請求項３又は４に記載の方法。
【請求項６】
少なくとも１つの第一の局と複数の第二の局とを具え、
第二の局の各々は、コードシーケンスを使用した拡散スペクトル信号を送信するための手段を有し、
第一の局は、前記信号を受信するための手段、及び前記信号に含まれるメッセージを前記コードシーケンスを使用して解析するための手段を有する通信システムであって、
第二の局の各々は、前記コードシーケンスが割り当てられた、該コードシーケンスのグループを識別するグループコードを当該コードシーケンスを使用した拡散スペクトル信号とともに送信するための手段を有し、
第一の局は、前記受信したグループコードから前記コードシーケンスが属する前記グループを認識するための手段と、前記認識されたグループの各々について、該グループに割り当てられたコードシーケンスを使用して前記拡散スペクトル信号を解析するための手段と、を有すること、
により特徴付けられる通信システム。
【請求項７】
各第二の局は、前記グループコード及び前記コードシーケンスを使用したメッセージを搬送波上に同時に直交変調するための手段を有すること、
を特徴とする請求項６記載の通信システム。
【請求項８】
第一の局は、応答のための信号を送信することを望む第二の局に当該送信を促すためのインビテーション信号を送信するための手段を有し、
前記インビテーション信号は、第二の局が送信する前記グループコードの決定のしかたを第二の局に通知する識別子を含むこと、
を特徴とする請求項６又は７記載の通信システム。
【請求項９】
第一の局は、要求されるグループ数を推測するための手段を有すること、
を特徴とする請求項６，７又は８記載の通信システム。
【請求項１０】
第一の局は、
要求されるグループ数を動的に決定するための手段と、
該決定に応じて、メッセージの送信を望む第二の局に、該第二の局の識別子の最重要ビットの所定数をグループコードとして送信するように指示するための手段と、
を有することを特徴とする請求項６，７又は８記載の通信システム。
【請求項１１】
複数の第二の局を有する通信システムに用いる第一の局であって、
前記複数の第二の局から、各々コードシーケンスを使用した複数の拡散スペクトルメッセージを受信するための手段と、
前記コードシーケンスを使用して前記メッセージを解析するための手段と、を有し、
前記複数の拡散スペクトルメッセージを受信するための手段は、更に、前記コードシーケンスが属する、コードシーケンスのグループを識別するグループコードを、該各スペクトルメッセージの一部として受信するものであり、
受信したそれぞれのグループにおけるコードシーケンスを記憶するためのコードシーケンス記憶手段と、
前記受信したグループコードから前記コードシーケンスが属する前記グループを認識するための手段と、
前記認識されたグループの各々について、該グループに割り当てられたコードシーケンスを使用して前記メッセージを解析するための手段と、
を有することを特徴とする第一の局。
【請求項１２】
ある時刻に活性化させられると予想される第二の局の数を推定するための手段と、
前記推定に応じて、前記コードシーケンスが割り当てられるべきグループの数を決定するための手段と、
を具えることによって特徴づけられる請求項１１記載の第一の局。
【請求項１３】
前記コードシーケンスを使用するメッセージとともに送信される前記グループコードの決定のしかたを第二の局に通知する識別子を含むインビテーション信号を生成するための手段を有すること、
を特徴とする請求項１１又は１２記載の第一の局。
【請求項１４】
メッセージを送信することを望む第二の局に、該第二の局の識別コードの最重要ビットの所定数をグループコードとして送信するよう命令することによって、要求されるグループの数に適合させるための手段を有すること、を特徴とする請求項１１から１３のいずれかに記載の第一の局。
【請求項１５】
１つ又はそれ以上の第一の局を有する第二の局であって、
送受信手段と、
複数の拡散スペクトルコードシーケンスを記憶するための手段と、
前記コードシーケンスの選択された１つを使用するメッセージを送信するための手段と、を有し、
前記選択されたコードシーケンスが割り当てられた、コードシーケンスのグループを識別するグループコードを生成するための手段と、
前記選択されたコードシーケンスを使用したメッセージと共に前記グループコードを送信するための手段と、
により特徴付けられる第二の局。
【請求項１６】
前記送受信手段は、前記グループコード及び前記コードシーケンスを使用したメッセージを搬送波上に直交変調するための直交変調手段を特徴とする請求項１５記載の第二の局。
【発明の詳細な説明】
技術分野
本発明は、一組のコードシーケンスの各メンバを、受信信号と比較することを含む相関のような技術及び各受信信号の試行錯誤のデコードのプロセスによって再生するためのシステムコントローラに対して中継される拡散スペクトル信号を、複数のユーザが送信する通信システムに関するものである。
背景技術
本発明の特定の（これに限定されるものではない。）用途は、例えば、第二の局が、登録要求及び／又は第一の局から受信したメッセージに対する簡潔な応答を拡散スペクトル信号として送信する国際特許出願公開明細書96/14716号に開示されたタイプのアンサーバックメッセージページングシステムである。遠近問題と称されるものを克服するためのパワー制御の問題を軽減するために、第一の局は、応答／登録信号を送信する第二の局へ、徐々に異なるパワーレベルで、第二の局を招くインビテーションを送信し、第二の局は、許容できるインビテーション信号の受信に応じて、応答／登録メッセージを拡散スペクトル信号として実質的に同時に送信し、各信号は固有の拡散コードシーケンスを有する。第一の局において、受信した拡散スペクトル信号の強度は許容しうる誤差範囲内にあり、既知の拡散スペクトル通信システムの機構である大規模なパワー制御をすることなくグループとして処理され得る。
第一の局では、プロセスは、多数のコードシーケンスから各コードシーケンスを受信信号に整合させ、例えば用いられるコードシーケンスの選択によって表される登録及び／又は応答信号を再生することを要求する。例えば第一の局が１０００メッセージを、それぞれ、一意のアドレス及び異なる応答を表す固有の制限されたコードシーケンスの組を有する受取人に対して伝送する状況では、第一の局は、アドレス及び各アドレスに割り当てられたコードシーケンスの組を知ることにより、どの第二の局がメッセージを受信したかだけでなくその応答が何であるかを知る、限定的な検索を行うことができる。しかしながら、第二の局が以前に知られていない場合の登録のような場合、第一の局によって保持された非常に多数のコードシーケンスが受信信号と比較されなければならず、この検索は、演算的にきつく、システム容量の最適でない使用を表す。
本発明の開示
本発明の目的は、拡散スペクトルシステムの演算を減少させることである。
本発明の第１の態様によれば、それぞれの第二の局によって送信される複数のメッセージからそれぞれのメッセージを識別するための方法であって、第二の局の各々からコードシーケンスを使用したメッセージを拡散スペクトル信号として送信し、第一の局において前記信号を受信し、前記コードシーケンスを使用して前記メッセージを解析する方法において、第二の局の各々から、前記コードシーケンスが割り当てられた、該コードシーケンスのグループを識別するグループコードを当該コードシーケンスを使用したメッセージと共に拡散スペクトル信号として送信し、前記受信したグループコードから前記コードシーケンスが割り当てられた前記グループを認識し、前記認識されたグループの各々について、該グループに割り当てられたコードシーケンスを使用して前記メッセージを解析すること、により特徴付けられる方法を提供する。
本発明の第２の態様によれば、少なくとも１つの第一の局と複数の第二の局とを具え、第二の局の各々は、コードシーケンスを使用したメッセージを拡散スペクトル信号として送信するための手段を有し、第一の局は、前記信号を受信するための手段、及び前記信号に含まれるメッセージを前記コードシーケンスを使用して解析するための手段を有する通信システムであって、第二の局の各々は、前記コードシーケンスが割り当てられた、該コードシーケンスのグループを識別するグループコードを当該コードシーケンスを使用したメッセージと共に拡散スペクトル信号として送信するための手段を有し、第一の局は、前記受信したグループコードから前記コードシーケンスが属する前記グループを認識するための手段と、前記認識されたグループの各々について、該グループに割り当てられたコードシーケンスを使用して前記メッセージを解析するための手段と、を有すること、により特徴付けられる通信システムを提供する。
本発明の第３の態様によれば、複数の第二の局を有する通信システムに用いる第一の局であって、前記複数の第二の局から、各々コードシーケンスを使用した複数の拡散スペクトルメッセージを受信するための手段と、前記コードシーケンスを使用して前記メッセージを解析するための手段と、を有し、前記複数の拡散スペクトルメッセージを受信するための手段は、更に、前記コードシーケンスが属する、コードシーケンスのグループを識別するグループコードを、該各スペクトルメッセージの一部として受信するものであり、受信したそれぞれのグループにおけるコードシーケンスを記憶するためのコードシーケンス記憶手段と、前記受信したグループコードから前記コードシーケンスが属する前記グループを認識するための手段と、前記認識されたグループの各々について、該グループに割り当てられたコードシーケンスを使用して前記メッセージを解析するための手段と、を有することを特徴とする第一の局を提供する。
本発明の第４の態様によれば、１つ又はそれ以上の第一の局を有する第二の局であって、送受信手段と、複数の拡散スペクトルコードシーケンスを記憶するための手段と、前記コードシーケンスの選択された１つを使用するメッセージを送信するための手段と、を有し、前記選択されたコードシーケンスが割り当てられた、コードシーケンスのグループを識別するグループコードを生成するための手段と、前記選択されたコードシーケンスを使用したメッセージと共に前記グループコードを送信するための手段と、により特徴付けられる第二の局を提供する。
【図面の簡単な説明】
本発明は、図面を参照して例示として説明される。
図１は、データメッセージを送信する選択呼出しシステムを説明する図である。
図２は、システムコントローラ及び基地局トランシーバを備える第一の局のブロック図である。
図３は、第二の局のブロック図である。
図４は、増分の増加量を均一にした出力パワーにおけるインビテーションを送信する第一の局を示す図である。
図５は、等しくなく増分する出力パワーでインビテーションを送信する第一の局を示す図である。
図６は、検索ストラテジの実現を含む動作のサイクルに関するフローチャートである。
図面中、同一の参照符号は同一の機構を示すために用いられている。
本発明を実施するための態様
図１を参照すると、選択呼出しシステムはシステムコントローラ１０を具え、このシステムコントローラ１０を、必要な場合には地上ライン又は他の適切なリンクによって少なくとも一つの基地局トランシーバ１２に接続する。一つより多くの基地局トランシーバが存在する場合には、これら基地局トランシーバを地理的に離間でき、これらは準同期（ｑｕａｓｉ−ｓｙｎｃｈｒｏｎｏｕｓ）モードで動作することができる。
選択呼出し第二の局ＳＳ１，ＳＳ２を設け、その各々はトランシーバを具え、そのトランシーバは、トランシーバ１２からの送信を受信するとともに、トランシーバ１２の出力パワーより著しく低いパワー、例えば３０ｄＢ低いパワーで、受信報告を含む制限された数のタイプのメッセージを送信することができる。メッセージは、代表的にはトランシーバ１２から送信される情報速度の千倍の情報速度であるとともに１０4の目安、例えば８１９１チップ／ビットの拡散シーケンス長の拡散スペクトル信号として送信される。
図２は、トランシーバ１２に接続されたシステムコントローラ１０の構成を示す。システムコントローラ１０は、トランシーバ１２を介して中継されるべきデータメッセージ用の入力部１８を具える。メッセージは記憶装置２０に保持され、これらメッセージは、記憶装置２０からフォーマット化段２２まで中継され、このフォーマット化段２２は、メッセージにアドレスコードワードを付与するとともに、そのメッセージを、予め設定された長さの複数の連結されたコードワードに分割し、各コードワードは、エラー検出／訂正ビットを含むとともに、偶数パリティビットを追加的に含む。アドレスコードワードは記憶装置２４に保持される。メモリ２８に格納されたプログラムに従ってシステムコントローラの動作を制御するプロセッサ２６を設ける。プロセッサ２６に、クロック／タイマ段３０と、インビテーション信号発生器３２と、インビテーションメッセージに対する応答を送信する際に第二の局によって使用することができるコードシーケンスの詳細を記憶する記憶装置３４も接続する。一旦記憶装置２０のデータメッセージが段２２でフォーマットされると、プロセッサ２６は、これらメッセージを基地局トランシーバ１２によって中継させる。データメッセージのフォーマットは、ＣＣＩＲラジオページングコード(Radiopaging Code)Ｎｏ．１のような任意の既知の（そうでない場合にはＰＯＣＳＡＧとして既知の）メッセージフォーマットに従うことができ、さらにフォーマットを工夫することができる。一旦メッセージが送信されると、プロセッサは、段３２に発生したインビテーション−応答信号を送信する。ある構成では、順次増大するパワーレベルでインビテーション信号の各々を送信した後、一定期間が設けられ、その期間で、インビテーション信号を受信し得る一つ以上の第二の局が拡散スペクトル信号として応答を送信することによって応答することができる。一旦、一定期間が経過すると、インビテーション信号は、増大するパワーレベルで最大パワーレベルまで繰り返され、各インビテーションに続いて、応答のための期間が設けられる。レベルを、図４に示したように等分に分割することができ、又は図５に示したように不等分に分割することができる。後者の場合、ステップのサイズを、予め決定することができ、又は動作中に動的に変更して各インビテーション信号の後に伝送される応答の数に影響を及ぼすことができる。図４及び５において、ＩＮＶは、インビテーションの送信を表し、ＲＥＳは、応答に対して割り当てられた時間を表す。他の構成では、各インビテーション信号は連続的に送信され、複数のタイムスロットを、拡散スペクトル信号として応答を受信するために設け、パワーレベルごとに一つのタイムスロットが存在する。最後に説明した構成の変形では、複数のインビテーション信号の組が送信され、第二の局は、インビテーション信号の最終組の伝送に続く適切な期間に受信された最低パワーのインビテーション信号に対して応答を送信する。他の構成では、単一の、最大パワーのインビテーション信号が送信される。
インビテーション信号の伝送に続いて、プロセッサ２６は、トランシーバ１２を受信に切り替え、トランシーバ１２によって受信された信号を受け取る準備をする。第二の局に向かう伝播経路は、第二の局からの伝播経路とほぼ同一である。拡散スペクトル信号として送信された応答の各々を識別するのに先立ち、コードシーケンスの各々を、バッファに保持された受信信号に順次整合させる必要があり、相関が得られると、応答が示され、存在するであろう他のどのような応答をも再生するために、他のコードシーケンスが受信信号に整合される。
図３は第二の局ＳＳのブロック図であり、この第二の局ＳＳは、インビテーション信号に対する応答を拡散スペクトル信号として送信することができる。第二の局ＳＳは、受信段３８に結合したアンテナ３６を具える。受信段３８の出力部をデコーダ４０の入力部に結合する。マイクロコントローラ４２をデコーダ４０の出力部に結合し、このマイクロコントローラ４２は、読み出し専用メモリ（ＲＯＭ）４４に保持されたプログラムに従って第二の局の動作を制御する。マイクロコントローラ４２は入力部／出力部を有し、その入力部／出力部を、音声、視覚、及び／又は触知とすることができる告知手段４６と、キーパッド４８と、データ出力手段、例えばＬＣＤパネル５２に結合したＬＣＤドライバ５０と、受信し及び復号化した任意のメッセージを記憶するランダムアクセスメモリ（ＲＡＭ）５６とに適切に結合する。
動作中、受信段３８は、第二の局ＳＳによって特定のバッテリ省電力プロトコルに応じて給電される。任意に、デコーダ４０及びマイクロコントローラ４２を、要求されないときに「休眠」させることができ、マイクロコントローラ４２を、内部タイマ（図示せず）又は割り込み信号によって活性化し、その際、必要があれば、第二の局の他の段を活性化する。アドレスコードワードを受信すると、復調され、デコードされ、エラー訂正され、及びそれが第二の局に割り当てられたものであるか又はメッセージを第一の局に送信するインビテーションであるかが確かめられる。受信されたコードワードが第二の局に割り当てられたアドレスコードワードであると仮定すると、マイクロコントローラ４２のプログラミングに従って、告知手段４６を、呼出しを受け取るユーザに情報を提供するように作動させられ得る。ショートメッセージがページング呼出しに連続する場合、一旦メッセージがデコードされ及びエラー検査／訂正され、マイクロコントローラ４２によりデコードされたメッセージはＲＡＭ５６に格納される。キーパッド４８の一つ以上のキーを打つことにより、ユーザは、ＲＡＭ５６からＬＣＤドライバ５０にメッセージを読み出すようにマイクロコントローラ４２に命令することができ、これによりメッセージをスクリーン５２上に表示することができる。これまで説明した動作は、ＰＯＣＳＡＧ標準規格に従う多数の英数字メッセージペーパーにおいて典型的なものである。
図示した第二の局ＳＳは低パワーの送信器５８を含み、これにより受信報告及び／又は短い応答メッセージを、範囲内の基地局トランシーバに対して中継させることができる。実際の受信報告又は応答メッセージを、自動的に又はユーザによるキーパッド４８の操作によって、マイクロコントローラ４２によって発生させ、拡散スペクトル信号として送信する。一つ以上のほぼ直交の疑似ランダムコードシーケンスを、段６０に記憶し又はマイクロプロセッサ４２で発生させることができる。マイクロコントローラ４２は、送信器５８に対するコードシーケンスの読出しを制御する。コードシーケンスは、ほぼ直交のシーケンス又はこのようなシーケンスのタイムシフトされた種類の組の１つとすることができる。選択されたシーケンスは、第二の局の識別、及び／又は受信されたメッセージの数、及び／又は以下に示すような、例えば第二の局番号３７０からのコード化された応答を表すことができる。
コードシーケンス３７１−登録のみの目的のエリア内の第二の局。
コードシーケンス３７２−最終メッセージを受信した。
コードシーケンス３７３−メッセージを読め。
コードシーケンス３７４−応答“Ｙｅｓ”。
コードシーケンス３７５−応答“Ｎｏ”。
コードシーケンス３７６−最終メッセージを再送信せよ。
実際の状況において、メッセージのストリングは、異なる第二の局に順次送信され、システムをどのように形成するかに依存して、第二の局は、応答としての拡散スペクトル信号を送信する。
受信した拡散スペクトル信号、特に登録信号は、数においても型においても未知の量を表すので、それらの拡散信号のコードシーケンスの相関をとることに含まれる演算を減少させるために、拡散スペクトル信号をグループに分割し、これらグループを分析して受信信号の性質を決定する。
ある種のインビテーション信号、例えば、最大パワーで送信される一般的なインビテーション信号又は増大するパワーレベルでのインビテーション信号のシーケンスへの応答において送信される拡散スペクトル信号の一例において、拡散スペクトルコードを、予め設定された又は動的に決定されたグループに分割し、第二の局は、グループコードと個別のコードとの両方を送信する。実質的に同時に受信した拡散スペクトル信号に含まれるメッセージを識別するためのコードシーケンスの検索が、先ずグループごとに行われ、その後存在することが分かったこれらグループが、個別のコードについて検索され、その結果、全体に亘る検索を短くすることができる。
本発明の一実施の形態において、第二の局は、それぞれの識別子だけでなくグループコードが与えられ、又はこれらを本来的に有する。このように招かれる場合、第二の局は、グループコードとその識別子との両方を送信する。システムコントローラ１０において、先ず受信信号が分析されて、グループコードの存在を検出する。第２の分析は、検出されたグループ内のみの識別の検索を具える。グループコードは、個別の識別子により時間的に分割されて送信され得るが、これによりシステム容量が減少する。代案では、搬送波を直角位相変調することによって二つのコードを同時に送信する。
この技術によって可能となる省力化が、以下に説明される。最適なグループサイズは、応答するユーザの数に依存する。Ｎ個の識別子（ユーザ）が存在するが、Ｒ個のユーザすなわち第二の局のみが（例えば登録のために）応答すると仮定する。システムコントローラ１０は、全識別子をｘ個のグループに分割する。先ず、ｘ個の相関がグループコードに対して行われ、そのうちの最大でもＲ個が存在することを見つける。次いで、Ｒ個のグループの各々は（Ｎ／ｘ）個の存在可能性のある識別子を検索する。従って、相関の総数は、ｘ＋Ｒ＊Ｎ／ｘとなり、それは最小値ｘopt＝ｓｑｒｔ（ＲＮ）を有し、したがって相関の数は２ｘとなる。Ｎ＝１，０００，０００の場合、これは概算次のようになる。
0003807746.tif 000002
システムコントローラ１０は、予測されるすなわち統計的に決定された応答数に基づいてグループサイズをセットし、インビテーション信号の一部として第二の局に指示する。例えば、第二の局の識別子を整数１〜１，０００，０００とみなした場合、第二の局は、自らの識別子を適切な数ｎで割るように命令され、その結果の整数部によって表されたコードを、グループコードとして用いる。
グループコードの検出のしきい値は、個別の識別のしきい値より低くされ得る。その理由は、一致を見なかったグループ検出の重要性は、検索演算負荷においては通常無視できる増分に過ぎないからである。例えば、グループ検出の際に１００のうちの一つの失敗レートは、約１％の余分な負荷となるだけであるのに対して、個別の応答に対して要求される失敗レートは数千回のうち１回だけであろう。この低い所要の失敗レートは、グループコードに対する送信電力の減少、グループコードに対する伝送時間の短縮、及び／又は分析時間の短縮のような複数の種々の方法において生かされ得る。
グループの数を動的に決定する場合、特定の時間帯、特定の日において、例えば登録において統計情報を用いるシステムコントローラ１０は、例えば４個のグループを決定することができ、インビテーション信号を送信する際、第二の局のアドレスの最重要ビット（ＭＢＳ）の２ビットをからなるグループコードを送ることを、送信することを所望する第二の局に命令することもできる。グループコード及び拡散スペクトルメッセージコードは、搬送波の直交変調によって同時に送信することができる。一旦システムコントローラがグループが存在することを識別しそれに気付くと、受信された信号はグループごとに順次分析される。グループ識別子として用いられるＭＢＳの数を増減することによって、グループ数は増減され得る。
図６は、動作のサイクルを示すフローチャートである。フローチャートは、システムコントローラがグループ数を決定することを表すブロック６２から始まる。ブロック６４は、グループを選択する方法に関する、第二の局に対する命令を含むインビテーションを基地局トランシーバが送信することを表す。ブロック６６において、グループコードが存在するか否かということについて確認し、存在しない場合（Ｎ）には次のグループコードを捜す。それに対して、グループコードが存在する場合（Ｙ）、フローチャートはブロック６８に進み、ここで、拡散スペクトル信号を有する当該グループのコードシーケンスの相関が実行される。相関が見つかる場合（Ｙ）、ブロック７０において、コードシーケンスが記され、相関するコードシーケンスそれ自体は、第二の局からの応答又はメッセージを表す。ブロック７２において、グループ中の全ての信号が分析されたか否かが確認される。応答がノー（Ｎ）である場合、フローチャートはブロック６８に戻るが、応答がイエス（Ｙ）である場合、フローチャートはブロック７４に進み、分析されたグループが最終グループであるか否かが確認される。応答がノー（Ｎ）である場合、フローチャートはブロック６６に戻るが、最終グループの場合（Ｙ）、フローチャートは終了ブロック７６に進む。
本開示を読むと、他の変形は当業者には明らかである。このような変形は、拡散スペクトル通信システムのそのパーツの設計、製造、及び使用において既に既知であるとともに既にここで説明した機構の代わりに又はそれに加えて用いることができる他の機構を含むことができる。本明細書中で機構の特定の組合せに対して請求の範囲を規定したが、本明細書の開示の範囲が顕在的又は潜在的にここに開示した任意の新規な特徴若しくは任意の新規な特徴の組合せ、又はその任意の一般化を含むことを理解すべきであり、それが任意の請求の範囲に現に記載されているのと同一の発明に関連するものであるか否かには関係なく、また、本発明と同一の任意の又は全ての技術的課題を軽減するか否かにも関係ない。本願人は、これにより、本出願若しくは本出願から生じる他のいかなる出願の手続中においても、新たな請求項が、このような機構及び／又はこのような機構の組合せとして考えられ得ることを記す。
産業上の利用分野
通信システム、特に拡散スペクトル応答信号を有する返答メッセージページングシステムに関するものであるが、これに限定されるものではない。
【図１】
0003807746.tif 000003
【図２】
0003807746.tif 000004
【図３】
0003807746.tif 000005
【図４】
0003807746.tif 000006
【図５】
0003807746.tif 000007
【図６】
0003807746.tif 000008